(57)【要約】【課題】電気を使用せずに配線装置のプラグ部を外部コンセントから外す機構を有するとともに、外部コンセントからプラグ部を外すと自動的にコード部が巻き取られる配線装置を提供する。【解決手段】本発明の配線装置は、本体部と、プラグ部と、本体部とプラグ部を繋ぐコード部と、を備え、プラグ部は、シリンダ部と、シリンダ部に供給される気体によって駆動するピストン部と、を備え、ピストン部は、ヘッド部と、ヘッド部から延在するロッド部と、を備え、コード部は、本体部から送り出される気体をシリンダ部に供給するホース部を備え、本体部は、コード部を巻き取る方向に付勢され、コード部を巻き取るためのリール部と、リール部の巻き取り方向への回転を停止させる回転停止部と、押圧操作によって、ホース部に気体を供給するように容積が減少するポンプ部と、押圧操作によって、回転停止部のリール部への係止を解除する係止解除部と、を備えている。【選択図】図８
2019021467.tif 000002
【特許請求の範囲】
【請求項１】
引込部及びコンセント部を有する本体部と、
外部コンセントに接続されるプラグ部と、
前記引込部から前記本体部に前記引き込まれ、前記本体部と前記プラグ部を繋ぐコード部と、を備え、
前記プラグ部は、
シリンダ部と、
前記シリンダ部内に配置され、前記シリンダ部に供給される気体によって駆動するピストン部と、を備え、
前記ピストン部は、
ヘッド部と、
前記プラグ部を前記外部コンセントに差し込む方向に前記ヘッド部から延在するロッド部と、を備え、
前記コード部は、
前記プラグ部と前記本体部を電気的に接続する電線部と、
前記本体部から送り出される気体を前記シリンダ部に供給するホース部と、を備え、
前記本体部は、
前記コード部を巻き取る方向に付勢され、前記コード部を巻き取るためのリール部と、
前記リール部に係止して、前記リール部の巻き取り方向への回転を停止させる回転停止部と、
押圧操作によって、前記ホース部に気体を供給するように容積が減少するポンプ部と、
前記押圧操作によって、前記回転停止部の前記リール部への係止を解除する係止解除部と、を備えていることを特徴とする配線装置。
【請求項２】
前記本体部は、
回動によって、前記コンセント部に差し込まれた外部機器のプラグを外す方向に押圧するレバー部と、
前記押圧操作によって、前記レバー部を回動させるレバー操作部と、を備えていることを特徴とする請求項１に記載の配線装置。
【請求項３】
前記本体部は、
前記コンセント部にプラグが差し込まれた外部機器の使用している電気の電気情報を測定する電気測定部と、
前記電気情報を外部の機器に無線で送信可能な無線通信部と、を備え、
前記電気情報が、電圧、電流、インピーダンス又は電力のいずれか１つの情報を含むことを特徴とする請求項１又は請求項２に記載の配線装置。
【請求項４】
前記シリンダ部は、前記シリンダ部に気体を供給する気体供給部寄りの位置に形成され、前記シリンダ部内の気体を前記シリンダ部外に逃がす第１逃し孔を有し、
前記プラグ部は、
回動可能に設けられ、前記シリンダ部の外側から前記第１逃し孔を開閉する開閉レバー部と、
前記開閉レバー部が前記第１逃し孔を閉状態とする方向に前記開閉レバー部を付勢する弾性部と、を備えていることを特徴とする請求項１から請求項３のいずれか１項に記載の配線装置。
【請求項５】
前記引込部は、前記コード部側の前記プラグ部の一部が収容可能とされており、
前記本体部は、前記引込部に前記コード部側の前記プラグ部の一部が収容されたときに、前記第１逃し孔を開状態とする側に前記開閉レバー部を回動させるように前記開閉レバー部を押圧する押圧部を備えていることを特徴とする請求項４に記載の配線装置。
【請求項６】
前記コード部は、電線部とホース部が同一方向に並べられた帯状であり、
前記本体部は、前記引込部から前記本体部内に引き込まれる前記コード部を前記コード部の断面における長尺側の面が前記リール部の巻き取り面に対してほぼ平行となる姿勢に保つ姿勢規制部を備えていることを特徴とする請求項１から請求項５のいずれか１項に記載の配線装置。
【請求項７】
前記シリンダ部は、前記プラグ部を前記外部コンセントに差し込むときに、前記外部コンセントが位置する側に形成され、前記シリンダ部内の気体を前記シリンダ部外に逃がす第２逃し孔を有し、
前記第２逃し孔は、前記シリンダ部内に供給される気体によって前記ピストン部が駆動して、前記プラグ部が外部コンセントから外れる状態になったときに前記シリンダ部内の気体が前記シリンダ部外に放出される位置に設けられていることを特徴とする請求項１から請求項６のいずれか１項に記載の配線装置。
【発明の詳細な説明】
【技術分野】
【０００１】
本発明は配線装置に関する。
【背景技術】
【０００２】
従来、プラグを電気コンセント（外部コンセント）から取り外す機構を設けた電気器具（例えば、電気掃除器）が知られている（特許文献１参照）。
具体的には、電気器具に設けられたスイッチを押すと、動作する加圧装置が電気器具内に設けられるとともに、その加圧装置の加圧によって駆動するピストンがプラグに設けられ、そのピストンの駆動によって、外部コンセントから離れる方向にプラグが付勢され、外部コンセントから電気器具のプラグを外せるようにしている。
【０００３】
したがって、電気器具を使用するユーザは、外部コンセントのところに行かずとも、電気器具に設けられた加圧装置を動作させるスイッチを押すだけで、外部コンセントからプラグを外すことができるので、プラグを外すために電気器具とプラグを電気的に接続するコードを引っ張る必要がなく、コードが断線することを回避することができる。
【先行技術文献】
【特許文献】
【０００４】
【特許文献１】実開平０５−０５７７７４号公報
【発明の概要】
【発明が解決しようとする課題】
【０００５】
ところで、電気器具の使用場所が部屋等に設けられた外部コンセントから離れており、電気器具のコードの長さが足りない場合、延長コード（いわゆる、テーブルタップ）等が使用される。
【０００６】
しかしながら、このような延長コード等の配線装置において、配線装置のプラグ部を部屋等に設けられた外部コンセントから外すだけの加圧力を有する加圧装置を内蔵させると、配線装置が大型化して配線装置を使用しないときの収納場所に困るという問題がある。
【０００７】
また、配線装置に接続されている電気器具の種類を電気の使用状態から特定し、電気器具の使用頻度等の情報が得られると、その情報にはいろいろな利用価値があると考えられるが、配線装置自体に電気で駆動する加圧装置等を用いていると、それによっても電気が使用されるため、配線装置に接続されている電気器具の種類を同定するのを阻害するおそれがある。
【０００８】
さらに、配線装置の使用が終わり、配線装置のプラグ部を部屋等に設けられた外部コンセントから外すと、コード部が自動的に巻き取れるようになっていれば、より一層、配線装置の片付けが楽に行える。
【０００９】
本発明は、上記事情に鑑みてなされたものであり、電気を使用せずに配線装置のプラグ部を部屋等に設けられた外部コンセントから外す機構を有するとともに、外部コンセントからプラグ部を外すと自動的にコード部が巻き取られる配線装置を提供することを目的とする。
【課題を解決するための手段】
【００１０】
本発明は、上記目的を達成するために、以下の構成によって把握される。
（１）本発明の配線装置は、引込部及びコンセント部を有する本体部と、外部コンセントに接続されるプラグ部と、前記引込部から前記本体部に前記引き込まれ、前記本体部と前記プラグ部を繋ぐコード部と、を備え、前記プラグ部は、シリンダ部と、前記シリンダ部内に配置され、前記シリンダ部に供給される気体によって駆動するピストン部と、を備え、前記ピストン部は、ヘッド部と、前記プラグ部を前記外部コンセントに差し込む方向に前記ヘッド部から延在するロッド部と、を備え、前記コード部は、前記プラグ部と前記本体部を電気的に接続する電線部と、前記本体部から送り出される気体を前記シリンダ部に供給するホース部と、を備え、前記本体部は、前記コード部を巻き取る方向に付勢され、前記コード部を巻き取るためのリール部と、前記リール部に係止して、前記リール部の巻き取り方向への回転を停止させる回転停止部と、押圧操作によって、前記ホース部に気体を供給するように容積が減少するポンプ部と、前記押圧操作によって、前記回転停止部の前記リール部への係止を解除する係止解除部と、を備えている。
【００１１】
（２）上記（１）の構成において、前記本体部は、回動によって、前記コンセント部に差し込まれた外部機器のプラグを外す方向に押圧するレバー部と、前記押圧操作によって、前記レバー部を回動させるレバー操作部と、を備えている。
【００１２】
（３）上記（１）又は（２）の構成において、前記本体部は、前記コンセント部にプラグが差し込まれた外部機器の使用している電気の電気情報を測定する電気測定部と、前記電気情報を外部の機器に無線で送信可能な無線通信部と、を備え、前記電気情報が、電圧、電流、インピーダンス又は電力のいずれか１つの情報を含む。
【００１３】
（４）上記（１）から（３）のいずれか１つの構成において、前記シリンダ部は、前記シリンダ部に気体を供給する気体供給部寄りの位置に形成され、前記シリンダ部内の気体を前記シリンダ部外に逃がす第１逃し孔を有し、前記プラグ部は、回動可能に設けられ、前記シリンダ部の外側から前記第１逃し孔を開閉する開閉レバー部と、前記開閉レバー部が前記第１逃し孔を閉状態とする方向に前記開閉レバー部を付勢する弾性部と、を備えている。
【００１４】
（５）上記（４）の構成において、前記引込部は、前記コード部側の前記プラグ部の一部が収容可能とされており、前記本体部は、前記引込部に前記コード部側の前記プラグ部の一部が収容されたときに、前記第１逃し孔を開状態とする側に前記開閉レバー部を回動させるように前記開閉レバー部を押圧する押圧部を備えている。
【００１５】
（６）上記（１）から（５）のいずれか１つの構成において、前記コード部は、電線部とホース部が同一方向に並べられた帯状であり、前記本体部は、前記引込部から前記本体部内に引き込まれる前記コード部を前記コード部の断面における長尺側の面が前記リール部の巻き取り面に対してほぼ平行となる姿勢に保つ姿勢規制部を備えている。
【００１６】
（７）上記（１）から（６）のいずれか１つの構成において、前記シリンダ部は、前記プラグ部を前記外部コンセントに差し込むときに、前記外部コンセントが位置する側に形成され、前記シリンダ部内の気体を前記シリンダ部外に逃がす第２逃し孔を有し、前記第２逃し孔は、前記シリンダ部内に供給される気体によって前記ピストン部が駆動して、前記プラグ部が外部コンセントから外れる状態になったときに前記シリンダ部内の気体が前記シリンダ部外に放出される位置に設けられている。
【発明の効果】
【００１７】
本発明によれば、電気を使用せずに配線装置のプラグ部を部屋等に設けられた外部コンセントから外す機構を有するとともに、外部コンセントからプラグ部を外すと自動的にコード部が巻き取られる配線装置を提供することができる。
【図面の簡単な説明】
【００１８】
【図１】本発明に係る実施形態の配線装置を示す斜視図である。
【図２】本発明に係る実施形態の配線装置の本体部からプラグ部を引き出したところを示す斜視図である。
【図３】本発明に係る実施形態のプラグ部を示す斜視図である。
【図４】図３のＡ−Ａ線に沿って切断したプラグ部の断面を主に示す断面図である。
【図５】本発明に係る実施形態のプラグカバーを省略したプラグ部を外部コンセントに差し込まれる側から見た斜視図である。
【図６】本発明に係る実施形態のプラグカバーを省略したプラグ部をコード部側から見た斜視図である。
【図７】本発明に係る実施形態の配線装置の本体部を示す斜視図である。
【図８】図７のＢ−Ｂ線に沿って切断した本体部の断面を示す断面図である。
【図９】本発明に係る実施形態の側壁筒部及びキャップ部を省略した本体部を示す斜視図である。
【図１０】図９からポンプ部を省略した本体部を示す斜視図である。
【図１１】図１０から受部等を省略してリール部が見えるようにした本体部を示す斜視図である。
【図１２】本発明に係る実施形態の配線装置の変形例の説明のための断面図である。
【発明を実施するための形態】
【００１９】
以下、本発明を実施するための形態(以下、「実施形態」という)を、添付図面に基づいて詳細に説明する。
なお、実施形態の説明の全体を通して同じ要素には同じ符号を付している。
【００２０】
（第１実施形態）
図１は本発明に係る実施形態の配線装置１を示す斜視図であり、図２は配線装置１の本体部２からプラグ部３を引き出したところを示す斜視図である。
【００２１】
図１及び図２に示すように、配線装置１は、コンセント部２０ＥＯを有する本体部２と、外部コンセントに接続されるプラグ部３と、本体部２とプラグ部３を繋ぐコード部４（図２参照）と、を備えている。
【００２２】
（プラグ部３）
図３は本発明に係る実施形態のプラグ部３を示す斜視図であり、図４は図３のＡ−Ａ線に沿って切断したプラグ部３の断面を主に示す断面図である。
また、図５は本発明に係る実施形態のプラグカバー３０を省略したプラグ部３を外部コンセントに差し込まれる側から見た斜視図であり、図６は本発明に係る実施形態のプラグカバー３０を省略したプラグ部３をコード部４側から見た斜視図である。
【００２３】
なお、以下のプラグ部３の説明では、プラグ部３の外部コンセントに差し込まれる側を「前方（側）」、「先端（側）」と記載する場合がある。
また、コード部４が繋がっているプラグ部３側を「後方（側）」、「後端（側）」と記載する場合がある。
【００２４】
図３及び図４に示すように、プラグ部３は、第１カバー半体３０Ａと第２カバー半体３０Ｂを合わせることで形成されたプラグカバー３０を備えている。
なお、第１カバー半体３０Ａと第２カバー半体３０Ｂは、絶縁性の材料（例えば、絶縁性のプラスチック）で形成されている。
【００２５】
そして、プラグ部３は、図４から図６に示すように、そのプラグカバー３０内に収容されたシリンダ部３１と、シリンダ部３１内に摺動可能に設けられたピストン部３２（図４参照）と、を備えている。
なお、シリンダ部３１及びピストン部３２にも、絶縁性の材料（例えば、絶縁性のプラスチック）が用いられている。
【００２６】
シリンダ部３１は、後方側に設けられた底板部３１Ａと、底板部３１Ａの外周部に一体成形され、前方側に延在する円筒側壁部３１Ｂと、を備えており、前方側が開口した有底円筒形状の部材である。
【００２７】
そして、図４に示すように、底板部３１Ａは、中央側ほど後方側に突出した円錐形状になっており、その底板部３１Ａの中央には、空気等の気体をシリンダ部３１内に供給するための気体供給部となる気体取込孔３１ＡＡが形成されている。
なお、この気体取込孔３１ＡＡには、後述する本体部２のポンプ部２２から送り出される空気等の気体をシリンダ部３１に供給するためのホース部４１を接続するためのジョイントＪが取り付けられている。
【００２８】
一方、図４に示すように、ピストン部３２は、シリンダ部３１の底板部３１Ａ側に位置するヘッド部３２Ａと、ヘッド部３２Ａの前方側の面に一体化され、プラグ部３を外部コンセントに差し込む方向に、ヘッド部３２Ａの前方側の面から延在するロッド部３２Ｂと、を備えている。
【００２９】
なお、ヘッド部３２Ａは、シリンダ部３１の円筒側壁部３１Ｂの内径とほぼ等しいか、若干小さい外径を有しており、シリンダ部３１の底板部３１Ａ側を向く面が、中央側ほど後方側に突出した円錐形状になっている。
【００３０】
そして、図３及び図４に示すように、プラグカバー３０の先端壁部３０Ｃの中央には、ピストン部３２のロッド部３２Ｂの外径よりも若干大きい孔部として構成され、ロッド部３２Ｂの出入りを可能とする出入口３０ＣＡが設けられている。
なお、出入口３０ＣＡを構成する孔部は、第１カバー半体３０Ａと第２カバー半体３０Ｂの合わせ部となる縁部に半円状の切り欠きを形成し、第１カバー半体３０Ａと第２カバー半体３０Ｂが合わさったときに、孔部の状態となるように形成されたものになっている。
【００３１】
本実施形態では、ロッド部３２Ｂは、内部が中空になっているが、中実になっていてもよく、また、本実施形態では、ロッド部３２Ｂは、内部が中空の棒状部と棒状部の後端部（ヘッド部３２Ａ側の端部）に設けられたフランジ部を有する部品とし、ロッド部３２Ｂとは別に作製したヘッド部３２Ａに対して、ロッド部３２Ｂのフランジ部をヘッド部３２Ａの前方側の面に接着又は溶着することで、ピストン部３２を形成したものになっているが、ピストン部３２は、ヘッド部３２Ａとロッド部３２Ｂが一体成形されたものであってもよい。
【００３２】
また、図４及び図５に示すように、プラグ部３は、シリンダ部３１に対してネジ固定され、一対の栓刃を構成するための一対の栓刃部３３を備えている。
具体的には、一対の栓刃部３３のそれぞれは、シリンダ部３１の底板部３１Ａの外面に対してネジ固定される固定部３３Ａと、固定部３３Ａから前方側に向かうようにほぼ９０度に折れ曲がり、シリンダ部３１の円筒側壁部３１Ｂの外面に沿って前方側に延在する直線部３３Ｂと、シリンダ部３１の円筒側壁部３１Ｂの先端のところで内側に向かうようにほぼ９０度で折れ曲がり、内側に延在する曲り部３３Ｃと、曲り部３３Ｃから前方側に向かうようにほぼ９０度に折れ曲がり、前方側に延在する栓刃となる突出部３３Ｄと、を備えている。
【００３３】
そして、一対の栓刃部３３は、シリンダ部３１の円筒側壁部３１Ｂの対向する外面に直線部３３Ｂが位置するように配置されている。
なお、図６に示すように、コード部４の後述する一対の電線部４０の導電線４０Ａのそれぞれの端部は、それぞれの栓刃部３３の固定部３３Ａをシリンダ部３１の底板部３１Ａに対してネジ固定するときに、固定部３３Ａと底板部３１Ａの間に挟まれるように配置されており、導電線４０Ａのそれぞれの端部がそれぞれの固定部３３Ａに直接接触し、栓刃部３３と電線部４０（より正確には、導電線４０Ａ）の電気的な接続が行われている。
【００３４】
一方、図３に示すように、プラグカバー３０の先端壁部３０Ｃには、出入口３０ＣＡを挟んで離間した位置に、一対の栓刃部３３の栓刃となる突出部３３Ｄのそれぞれを先端壁部３０Ｃから導出するために、突出部３３Ｄの外形に合わせた矩形状の孔部として構成された導出開口部３０ＣＢが設けられている。
【００３５】
なお、導出開口部３０ＣＢを構成する矩形状の孔部は、第１カバー半体３０Ａと第２カバー半体３０Ｂの合わせ部となる縁部に矩形状の切り欠きを形成し、第１カバー半体３０Ａと第２カバー半体３０Ｂが合わさったときに、矩形状の孔部の状態となるように形成されたものになっている。
【００３６】
また、図４に示すように、シリンダ部３１は、シリンダ部３１に気体を供給する気体供給部（気体取込孔３１ＡＡ）寄りの位置、具体的には、底板部３１Ａの外側寄りの位置に形成され、シリンダ部３１内の気体をシリンダ部３１外に逃がす第１逃し孔３１ＡＢを有している。
【００３７】
そして、プラグ部３は、プラグカバー３０の第１逃し孔３１ＡＢの近くの位置のプラグカバー３０（第２カバー半体３０Ｂ）に対して回動可能に設けられ、シリンダ部３１の外側から第１逃し孔３１ＡＢを開閉する開閉レバー部３４と、開閉レバー部３４が第１逃し孔３１ＡＢを閉状態とする方向に開閉レバー部３４を付勢する弾性部３５と、を備えている。
【００３８】
なお、開閉レバー部３４は、第１逃し孔３１ＡＢを開閉する蓋部と開閉レバー部３４の操作のときに押圧される押圧部が、ほぼくの字形状となるように、絶縁性の材料（例えば、絶縁性のプラスチック）を用いて一体成形された部材である。
また、プラグカバー３０（第２カバー半体３０Ｂ）には、押圧部の一部が外部に導出される開口部３０ＢＡが設けられている。
【００３９】
本実施形態では、弾性部３５として圧縮コイルばねを用い、圧縮コイルばねの一端が、第１逃し孔３１ＡＢに対向するプラグカバー３０（第２カバー半体３０Ｂ）の位置に設けられた当接部３０ＢＢで受けられ、圧縮コイルばねの他端が開閉レバー部３４を押圧する構成になっているが、圧縮コイルばねをゴムのような弾性部材に変更してもよい。
【００４０】
さらに、シリンダ部３１は、プラグ部３を外部コンセントに差し込むときに、外部コンセントが位置する側となる、シリンダ部３１の円筒側壁部３１Ｂの先端側寄りに形成され、シリンダ部３１内の気体をシリンダ部３１外に逃がす第２逃し孔３１ＢＡを有している。
【００４１】
配線装置１としての動作については後述するが、後ほど行う配線装置１としての動作の説明が理解しやすいように、ここで、図４を参照しながら、このような構成を有するプラグ部３の動作について簡単に説明しておく。
図４の点線は、プラグ部３が外部コンセントに差し込まれたときに、その外部コンセントの表面Ｗの位置を模式的に示したものである。
【００４２】
このようにプラグ部３が、外部コンセントに差し込まれた状態のときに、シリンダ部３１とピストン部３２のヘッド部３２Ａとで形成される空間Ｓ内に、気体供給部となる気体取込孔３１ＡＡから空気等の気体が供給されると、その気体の圧力でピストン部３２が前方側に押圧され、矢印Ｚの方向に動き、ロッド部３２Ｂの先端面が外部コンセントの表面Ｗに当接する状態となる。
【００４３】
このように、ロッド部３２Ｂの先端面が外部コンセントの表面Ｗに当接する状態になると、ロッド部３２Ｂの動きは、外部コンセントの表面Ｗによって規制されるため、ロッド部３２Ｂはそれ以上前方側に動けなくなる。
【００４４】
そうすると、空間Ｓ内に供給された気体の押圧力によって、動きが規制されていないシリンダ部３１のほうが、後方側に動くようになり、シリンダ部３１に固定されている一対の栓刃部３３も後方側に動くことになるため、外部コンセント内に差し込まれている栓刃部３３の栓刃となる突出部３３Ｄが外部コンセントから外れることになり、プラグ部３が外部コンセントから外れる。
【００４５】
なお、シリンダ部３１が後方側に動くときには、第１逃し孔３１ＡＢを通じて気体が開閉レバー部３４を第１逃し孔３１ＡＢから離れる方向に押圧することになる。
このため、この気体の押圧によって第１逃し孔３１ＡＢが開状態にならないようにするために、第１逃し孔３１ＡＢを閉状態とする方向に開閉レバー部３４を付勢する弾性部３５の付勢力は、この気体による押圧力よりも大きく設定されていることが好ましい。
【００４６】
そして、プラグ部３が外部コンセントから外れると、外部コンセントの表面Ｗからロッド部３２Ｂも離れることになるため、再び、ピストン部３２が前方側に動くことができるようになるが、栓刃となる突出部３３Ｄが外部コンセントから外れる位置（プラグ部３が外部コンセントから外れる位置）までシリンダ部３１が後退したときには、ヘッド部３２Ａの後方側の面が第２逃し孔３１ＢＡよりも前方側に位置し、空間Ｓ内の気体が第２逃し孔３１ＢＡを通じてシリンダ部３１外に逃される。
【００４７】
つまり、第２逃し孔３１ＢＡは、シリンダ部３１内に供給される気体によってピストン部３２が駆動して、プラグ部３が外部コンセントから外れる状態になったときにシリンダ部３１内の気体がシリンダ部３１外に放出される位置に設けられている。
【００４８】
このため、プラグ部３が外部コンセントから外れて、再び、ピストン部３２が前方側に動くことができるようになると、空間Ｓ内の気体が第２逃し孔３１ＢＡを通じてシリンダ部３１外に逃され、気体による押圧力がピストン部３２に働かなくなる、又は、弱くなるため、ピストン部３２（ヘッド部３２Ａ）が強くプラグカバー３０の先端壁部３０Ｃに衝突することが回避され、先端壁部３０Ｃやピストン部３２が破損することを回避することができる。
【００４９】
一方、プラグ部３を外部コンセントに差し込むときには、開閉レバー部３４を回動させて、第１逃し孔３１ＡＢが開状態となるようにする。
そして、その状態で、プラグ部３を外部コンセントに差し込むようにすると、ロッド部３２Ｂの先端面が外部コンセントの表面Ｗに押し付けられて、ピストン部３２を後方に動かす力が掛かり、空間Ｓ内の気体が第１逃し孔３１ＡＢから逃げ、スムーズにピストン部３２が後方側に動くので、ピストン部３２が外部コンセントへのプラグ部３の差し込みを阻害することがない。
【００５０】
（コード部４）
コード部４は、図３から図６に示すように、プラグ部３の一対の栓刃部３３に対応した一対の電線部４０と、後述する本体部２のポンプ部２２から送り出される空気等の気体をシリンダ部３１に供給するホース部４１と、電線部４０とホース部４１を纏める纏め部（以下、被覆部４２と記載する。）と、を備えている。
【００５１】
電線部４０は、プラグ部３と本体部２を電気的に接続するための部材であり、導電性の材料（例えば、銅等）からなる導電線４０Ａと、導電線４０Ａを被覆する絶縁性の材料（例えば、ナイロン等）からなる外皮４０Ｂと、を備えている。
【００５２】
そして、図６に示すように、電線部４０の端部側の外皮４０Ｂの一部が除去され、剥き出しの状態になっている導電線４０Ａの端部（一端）が、先にも説明したように、栓刃部３３の固定部３３Ａに直接接触し、導電線４０Ａと栓刃部３３が電気的に接続されている。
【００５３】
ホース部４１は、絶縁性で可撓性の材料（例えば、ナイロン等）で中空のパイプ状に形成された部材であり、先に説明したように端部（一端）がジョイントＪを介して、シリンダ部３１の気体供給部となる気体取込孔３１ＡＡに気体が供給できるように、ジョイントＪに接続されている（図４参照）。
【００５４】
そして、一対の電線部４０の間にホース部４１が位置するように、電線部４０とホース部４１が同一方向に並べられ、それらを覆うように絶縁性で可撓性の材料（例えば、ナイロン等）で被覆するようにして被覆部４２が形成されており、コード部４は、帯状の形状になっている。
なお、電線部４０、ホース部４１及び被覆部４２の剛性は、これらが一体となったコード部４の状態で、後述するリール部２３への巻き取りが良好に行える程度の可撓性を有するように設定されている。
また、本実施形態では、纏め部が被覆部４２とされているが、纏め部は被覆を行う構成に限らず、電線部４０及びホース部４１を長手方向のところどころで部分的に接着を行うものであってもよく、電線部４０とホース部４１を纏めることできる構成であればよい。
【００５５】
一方、プラグカバー３０の後端には、図４に示すように、コード部４を引き出すための引出開口部３０Ｄが設けられており、この引出開口部３０Ｄを通じてプラグカバー３０内からコード部４が外部に引き出されている。
【００５６】
（本体部２）
図７は本発明に係る実施形態の配線装置１の本体部２を示す斜視図であり、図８は図７のＢ−Ｂ線に沿って切断した本体部２の断面を示す断面図である。
なお、図８では、本体部２内に収容されるコード部４の一部を点線で模式的に示している。
また、図９は本発明に係る実施形態の側壁筒部Ｓ２０及びキャップ部Ｃ２０を省略した本体部２を示す斜視図であり、図１０は図９からポンプ部２２を省略した本体部２を示す斜視図である。
さらに、図１１は図１０から受部２１等を省略してリール部２３が見えるようにした本体部２を示す斜視図である。
【００５７】
図９に示すように、本体部２は、取手基部２０Ａが一体に形成されたほぼ外形が円形状の底部２０と、底部２０から離間するように底部２０に対して脚部２１Ａが設置され、底部２０の反対側となる側でポンプ部２２を受ける受部２１と、受部２１で受けられたポンプ部２２と、を備えている。
【００５８】
なお、取手基部２０Ａが一体に形成された底部２０及び受部２１は、例えば、硬質の絶縁性の材料（例えば、絶縁性の硬質プラスチック）で形成されている。
また、本実施形態では、受部２１の脚部２１Ａは、受部２１に対して棒状の部材を取り付けるようにしているが、受部２１と脚部２１Ａを一体形成するようにしてもよい。
【００５９】
取手基部２０Ａは、図１１に示すように、底部２０の外周部の一部に形成され、底部２０から離れる方向に立ち上がる立上部２０ＡＡと、立上部２０ＡＡから外側に離れる方向に延在するほぼ外形が円弧状の把持部２０ＡＢと、把持部２０ＡＢから立ち下がるほぼ外形が円弧状で端部に円板状の設置部２０ＡＣＡを有する立下部２０ＡＣと、を備えている。
【００６０】
ポンプ部２２は、図８及び図９に示すように、側壁部に蛇腹構造２２Ａが形成されており、受部２１で受けられる側の反対側に位置する天面部２２Ｂを受部２１側に押すと、側壁部が縮み、押すのを止めると蛇腹構造２２Ａの復帰力で側壁部が伸びるようになっており、ポンプ部２２は、このような動作に支障がない程度の剛性を有する、例えばプラスチック等で形成されている。
【００６１】
つまり、この天面部２２Ｂが受部２１に向かう方向及び受部２１から離れる方向を合わせて押圧操作方向と呼ぶとすると、ポンプ部２２は、側壁部に蛇腹構造２２Ａが形成されることで押圧操作方向に伸縮が可能になっている。
【００６２】
受部２１は、図１０に示すように、底部２０の外径よりも一回り小さい円形状であり、中央に上下を貫通する円形開口部２１Ｂが形成されている。
【００６３】
また、本体部２は、図８に示すように、底部２０に形成された円形状の窪み部ＧＲに回転可能に嵌め込まれ、底部２０と受部２１の間に配置されたリール部２３と、受部２１の円形開口部２１Ｂを通じて一端がポンプ部２２に固定され、他端がリール部２３内に位置するように配置されたポンプ部２２とホース部４１（図４参照）を接続する回転継手部２４（いわゆる、ロータリーエアジョイント）と、を備えている。
なお、このリール部２３は、コード部４を巻き取るためのものであり、後述するように、コード部４を巻き取る方向に常に付勢されている。
【００６４】
そして、リール部２３の側面（巻き取り面２３Ａ）には、コード部４をリール部２３内に引き込むための引込開口が形成されており、回転継手部２４には、その引込開口から引き込まれたコード部４のホース部４１の端部、つまり、シリンダ部３１側のジョイントＪ（図４参照）に接続されるホース部４１の端部（一端）の反対側に位置する端部（他端）が接続される。
【００６５】
このため、ポンプ部２２の天面部２２Ｂを受部２１側に押すと、ポンプ部２２の側壁部が縮み、ポンプ部２２の内容積が減少するのに伴ってポンプ部２２内の空気等の気体が送り出され、回転継手部２４を介してホース部４１に供給され、先に説明したように、プラグ部３を外部コンセントから外すようにピストン部３２が駆動する。
【００６６】
そして、リール部２３がコード部４を巻き取るように回転するときに、その回転に追従するように回転継手部２４が回転するため、ホース部４１がリール部２３の回転を阻害することがない。
【００６７】
一方、図１１に示すように、リール部２３は、内側に突出した縁部２３Ｃを有しており、その縁部２３Ｃには、大きさの異なる一対の円環状の第１電極部を固定する一対の電極固定部２３ＣＡが設けられている。
なお、この一対の電極固定部２３ＣＡに固定され、リール部２３とともに回転する一対の第１電極部には、リール部２３内に引き込まれたコード部４の一対の電線部４０の導電線４０Ａがそれぞれ接続される。
【００６８】
そして、図１０に示すように、受部２１には、リール部２３の一対の電極固定部２３ＣＡに対応する位置に一対の貫通孔２１Ｃが形成されており、この貫通孔２１Ｃを通じてリール部２３の一対の電極固定部２３ＣＡに固定された一対の第１電極部に対して摺動可能に接触する一対の第２電極部２６が設けられる。
なお、後ほど説明するが、この一対の第２電極部２６と本体部２に設けられたコンセント部２０ＥＯ（図１参照）とが電気的に接続される。
【００６９】
つまり、本体部２は、リール部２３に固定され、リール部２３とともに回転する第１電極部及び第１電極部に接触するように受部２１に固定された第２電極部２６を有する回転電気接続部を備えている。
【００７０】
このため、電線部４０もリール部２３とともに回転する第１電極部に固定されているため、電線部４０の固定端となっている部分もリール部２３の回転に追従して動き、この電線部４０の固定端がリール部２３の回転を阻害することがない。
【００７１】
したがって、リール部２３の内部に引き込まれたコード部４の部分は、ホース部４１も電線部４０もリール部２３の回転に追従して回転することになるため、リール部２３よりも外側に位置し、リール部２３の回転に追従できないコード部４の部分が、リール部２３の回転に従って、リール部２３の側面（巻き取り面２３Ａ）に巻き付くように巻き取られていくことになる。
【００７２】
一方、図８に示すように、底部２０の中央には、底部２０から突出する係合ピン２０Ｂが設けられている。
そして、本体部２は、リール部２３と底部２０の間に配置され、一端が係合ピン２０Ｂに係合され、他端がリール部２３に係合された、コード部４を巻き取る方向にリール部２３を付勢する弾性体としての発条ＺＮを備えている。
このため、リール部２３は、この発条ＺＮによって、コード部４を巻き取る方向に常に付勢されている。
【００７３】
また、図８及び図１１に示すように、リール部２３の受部２１側には外側に延在するフランジ部２３Ｂが設けられており、図１１に示すように、フランジ部２３Ｂ内には、リール部２３の時計回りの方向に上り坂となるスロープ部２３ＢＡが周方向に離間して、ほぼ均等間隔に４つ設けられている。
【００７４】
そして、図１０及び図１１に示すように、本体部２は、受部２１に回動可能に軸支され、スロープ部２３ＢＡを上りきった後に表れる段部２３ＢＢ（図１１参照）に係止して、リール部２３の巻き取り方向への回転を停止させる回転停止部２５を備えている。
【００７５】
したがって、この回転停止部２５のリール部２３への係止を解除するように、回転停止部２５を回動させると、リール部２３は常にコード部４を巻き取る方向に付勢されているので、自動的にコード部４を巻き取る方向にリール部２３が回転し、リール部２３の側面（巻き取り面２３Ａ）に沿うようにコード部４が巻き取られる。
【００７６】
次に、図１０を参照しながら、本体部２に設けられているコンセント部２０ＥＯ（図１参照）側の構成等について説明する。
【００７７】
本実施形態では、外部機器のプラグを接続するためのコンセント部２０ＥＯとして２つのコンセント部２０ＥＯが設けられており、図１０に示すように、取手基部２０Ａの把持部２０ＡＢ内には、立上部２０ＡＡ寄りの位置に外部機器のプラグの一対の栓刃を受け入れるための一対の刃受けばね２７Ａが設けられており、図１に示すように、ここに１つ目のコンセント部２０ＥＯが形成されている。
【００７８】
また、取手基部２０Ａの把持部２０ＡＢ内には、立下部２０ＡＣ側に設けられた外部機器のプラグの一対の栓刃を受け入れるための一対の刃受けばね２７Ｂが設けられており、図１に示すように、ここに２つ目のコンセント部２０ＥＯが形成されている。
【００７９】
そして、一対の刃受けばね２７Ａは、ポンプ部２２（図９参照）の押圧方向から外部機器のプラグの栓刃が差し込まれるように配置されており、刃受けばね２７Ｂは、押圧方向に直交する方向から外部機器のプラグの栓刃が差し込まれるように配置されている。
【００８０】
このように、異なる２方向から外部機器のプラグの栓刃が差し込めるようになっているため、本体部２の配置される場所の状況に合わせて差し込みやすい方向から外部機器のプラグを本体部２に接続させることができるようになっている。
【００８１】
そして、図１０に示すように、一対の刃受けばね２７Ａ及び一対の刃受けばね２７Ｂの１つの刃受けばねには、コンセント部２０ＥＯにプラグが差し込まれた外部機器の使用している電気の電気情報を測定する電気回路部２８を介して一方の第２電極部２６に電気的に接続されるように電気配線が行われ、一対の刃受けばね２７Ａ及び一対の刃受けばね２７Ｂの残る１つの刃受けばねは、直接、他方の第２電極部２６に電気的な接続が行われるように電気配線が行われている。
【００８２】
電気回路部２８は、電圧、電流、インピーダンス又は電力のうちの少なくとも１つの電気情報を測定する電気測定部として機能する。
そして、電気回路部２８には、電気情報を外部の機器（例えば、パーソナルコンピュータやスマートフォン等）に無線で送信するための無線通信部としての無線モジュール２８Ａが設けられており、測定した電気情報が随時送信される。
なお、無線モジュール２８Ａは送信機能だけのものであってもよいが、送受信機能を有するものであってもよい。
【００８３】
このような電気情報が得られると、その電気情報には様々な利用価値があると考えられ、ここで簡単に説明しておくと、本実施形態の配線装置１のコンセント部２０ＥＯには、家庭用・業務用に限らず、様々な外部機器が接続される。
【００８４】
例えば、外部機器の一例としては、アイロン・ハンドアイロン・ふとん乾燥機・ふとん圧縮機・電気ポット・アイスクリーマー・フードプロセッサー・ブレンダー・ミキサー・ホットプレート・たこ焼き機・オーブン・ホームベーカリー・給湯器・ドライヤー・ヘアアイロン・美顔器・掃除機・窓拭き掃除機・ふとん掃除機・電気ストーブ・扇風機・加湿器・湿度調整機・空気清浄機・ラベルライター・ラミネーター・電動鉛筆削り・タブレット・ノートＰＣ・携帯電話・スマートフォン・デジタルカメラ等が挙げられる。
【００８５】
そして、各外部機器の使用中の電力等電気情報の絶対量、変化量、推移、及びそれら平均値等の特徴量をあらかじめ求めてデータベース化しておけば、配線装置１の無線通信部から無線で送信される電気情報を受信する外部の機器（パーソナルコンピュータやスマートフォン等）に、そのデータベースを記憶させておくことで、送信されてきた電気情報とデータベースの特徴量を比較し、どのような外部機器が使用されているのかを同定することができる。
【００８６】
このように使用されている外部機器の同定を行うと、多々ある外部機器のうち、どれが、どの時間帯に、また、どの季節に、どれぐらいの頻度で使用されているのかということを求めることができ、各外部機器の使用状況が把握できるようになる。
【００８７】
そうすると、ユーザは、その使用状況を見て、あまりにも使用頻度が低い外部機器をいつまでも所有するのではなく、外部機器が古くなって転売価格が下がる前に、リサイクルショップ等に引き取ってもらうようにすることができるようになる。
【００８８】
また、使用頻度が高い外部機器が把握できれば、その外部機器が古くなってきたらより性能のよいもの（例えば、省電力で機能の高いもの）に買い換えることもできるようになる。
【００８９】
また、別の例としては、各外部機器の使用状況をもとにサービスを行う場合、配線装置１を使用するユーザの所有する外部機器の連絡をサービス業者があらかじめ受け付けて、外部の機器（パーソナルコンピュータやスマートフォン等）が受信した電気情報をネット経由でサービス業者が受信して、配線装置１を使用しているユーザに対して、タイミングよく使用頻度の高い外部機器の新しい製品を紹介したり、逆に、使用頻度が低い外部機器を使用頻度の高いと推定されるユーザに売却や賃貸する提案をすることも可能である。
【００９０】
さらに、サービス業者は、多数のユーザの情報から、どのような時期・時間に、どのような外部機器がよく使用されているのか等を知ることもできるため、一般ユーザでは気付かないようなライフスタイルの傾向や潜在的なニーズをマイニングすることができ、外部機器の製造業者とタイアップすることで、よりユーザに好まれる機能等を持たせた新製品をその新製品の需要が高くなると考えられる時期に市場投入するように開発を行うこともできる。
【００９１】
なお、上記では、配線装置１が電気情報を送信する機能だけを担う場合について説明したが、例えば、電気回路部２８に演算部（ＬＳＩやＣＰＵ等）を設けるとともに、記憶部（ＲＯＭ、ＲＡＭ等）を設けるようにして、配線装置１自体が電気情報から使用中の外部機器の種類を同定して、さらに、各外部機器の使用状況が把握できるように加工する処理を行い、処理結果をユーザのスマートフォン等に送信するようにしてもよい。
【００９２】
この場合、ユーザが所有している外部機器の使用中の特徴量を配線装置１が記憶している必要があるため、無線通信部を送受信可能な無線モジュール２８Ａとして特徴量のデータベースを外部の機器（パーソナルコンピュータやスマートフォン等）から配線装置１に向けて送信し、配線装置１の記憶部に記憶させるようにすればよい。
【００９３】
ただし、必ずしも外部機器の特徴量がデータベース化されている必要はなく、外部機器の型番等を登録したら、その都度、外部機器を提供するメーカーや外部機器の特徴量を調査するサービス会社にアクセスして、その特徴量のデータを取得するようにしてもよい。
【００９４】
話を配線装置１の説明に戻す。
図１、図８及び図１０に示すように、本体部２は、取手基部２０Ａの把持部２０ＡＢ上に回動可能に配置され、一対の刃受けばね２７Ａ（図１０参照）を備えるコンセント部２０ＥＯ（図１参照）に接続された外部機器のプラグを外す方向に押圧するレバー部２９と、取手基部２０Ａに合わさって、取手基部２０Ａとで取手部Ｔ２０を構成する取手蓋部Ｓ２０Ａが一体に形成された側壁筒部Ｓ２０と、を備えている。
なお、取手蓋部Ｓ２０Ａが一体に形成された側壁筒部Ｓ２０及びレバー部２９は、例えば、硬質の絶縁性の材料（例えば、絶縁性の硬質プラスチック）で形成されている。
【００９５】
図８に示すように、側壁筒部Ｓ２０は、底部２０側に位置する一方の開口部Ｓ２０ＢＡが底部２０で塞がれるように底部２０に対して固定されている。
そして、一方の開口部Ｓ２０ＢＡの反対側に位置する他方の開口部Ｓ２０ＢＢからポンプ部２２の一部が導出されるように、一方の開口部Ｓ２０ＢＡから他方の開口部Ｓ２０ＢＢに至る側壁筒部Ｓ２０の高さが設定されている。
【００９６】
また、取手基部２０Ａに対応する側壁筒部Ｓ２０の周方向の位置の他方の開口部Ｓ２０ＢＢの近傍に、取手蓋部Ｓ２０Ａが一体に形成されており、取手蓋部Ｓ２０Ａは、取手基部２０Ａの把持部２０ＡＢに対応する把持蓋部Ｓ２０ＡＡと、取手基部２０Ａの立下部２０ＡＣに対応する立下蓋部Ｓ２０ＡＢと、を備えており、図１を見るとわかるように、把持蓋部Ｓ２０ＡＡには、一対の刃受けばね２７Ａ（図１０参照）に対応する位置に外部機器のプラグの一対の栓刃を差し込み可能とするための一対の差込口Ｓ２０ＡＡＡが形成されている。
【００９７】
さらに、把持蓋部Ｓ２０ＡＡには、この一対の差込口Ｓ２０ＡＡＡの間の位置に、外部機器のプラグを外す方向に押圧するレバー部２９（図８参照）の外部機器のプラグを押圧する押圧片の出入りを可能とする押圧片出入口Ｓ２０ＡＡＢが形成されている。
【００９８】
なお、図１では見えていないが、立下蓋部Ｓ２０ＡＢにも一対の刃受けばね２７Ｂに対応する位置に外部機器のプラグの一対の栓刃を差し込み可能とするための一対の差込口が形成されている。
また、把持蓋部Ｓ２０ＡＡには、図１０に示すレバー部２９の回動軸を回動可能に軸支する軸受部が設けられている。
【００９９】
一方、図８に示すように、本体部２は、側壁筒部Ｓ２０の他方の開口部Ｓ２０ＢＢから外側に導出されたポンプ部２２を覆い、開放端Ｃ２０Ａが側壁筒部Ｓ２０内に位置するように配置されたキャップ部Ｃ２０を備えており、キャップ部Ｃ２０は、硬質の絶縁性の材料（例えば、絶縁性の硬質プラスチック）で形成されている。
【０１００】
なお、側壁筒部Ｓ２０の他方の開口部Ｓ２０ＢＢには、内側に若干迫り出した内方向迫出部が形成されており、キャップ部Ｃ２０の開放端Ｃ２０Ａには、内方向迫出部に当接可能に外側に若干迫り出した外方向迫出部が形成されている。
このため、側壁筒部Ｓ２０の一方の開口部Ｓ２０ＢＡ側から他方の開口部Ｓ２０ＢＢに向けてキャップ部Ｃ２０を挿入するように組み付けると、キャップ部Ｃ２０が側壁筒部Ｓ２０の他方の開口部Ｓ２０ＢＢから外れることがないようになっている。
【０１０１】
そして、図８を見るとわかるように、このキャップ部Ｃ２０の開放端Ｃ２０Ａは、ポンプ部２２を押圧するようにキャップ部Ｃ２０を押圧操作したときに、先に説明した回転停止部２５を回動させて、回転停止部２５のリール部２３への係止を解除する位置に位置するようになっており、回転停止部２５のリール部２３への係止を解除する係止解除部として機能する。
【０１０２】
また、図８を見るとわかるように、キャップ部Ｃ２０は、レバー部２９に対応する部分が、開放端Ｃ２０Ａに開放するように切り欠いた切欠部Ｃ２０Ｂになっている。
そして、この切欠部Ｃ２０Ｂの深さが、ポンプ部２２を押圧するようにキャップ部Ｃ２０を押圧操作したときに、レバー部２９を回動させるのに適した深さになるように、切欠部Ｃ２０Ｂを形成しており、この切欠部Ｃ２０Ｂが、ポンプ部２２を押圧するようにキャップ部Ｃ２０を押圧操作したときに、レバー部２９を回動させるレバー操作部として機能する。
【０１０３】
このように、本実施形態では、ポンプ部２２を押圧するように、ユーザがキャップ部Ｃ２０の押圧操作を行うと、キャップ部Ｃ２０が、回転停止部２５のリール部２３への係止を解除する係止解除部及びレバー部２９を回動させるレバー操作部として機能するようになっている。
【０１０４】
したがって、本実施形態の配線装置１では、外部コンセントに接続されているプラグ部３を外部コンセントから外すために、キャップ部Ｃ２０を押圧操作すると、一緒に回転停止部２５のリール部２３への係止が解除され、リール部２３がコード部４を巻き取る方向である側壁筒部Ｓ２０に沿った周方向に回転可能になり、先に説明したように、リール部２３は常にコード部４を巻き取る方向に付勢されているため、プラグ部３が外部コンセントから外れるのと同時にリール部２３へのコード部４の巻き取りが行われる。
【０１０５】
しかも、配線装置１に接続されている外部機器のプラグが一対の刃受けばね２７Ａ（図１０参照）を有するコンセント部２０ＥＯに接続されている場合には、キャップ部Ｃ２０を押圧操作することで、レバー部２９が回動し、レバー部２９の押圧片が外部機器のプラグをコンセント部２０ＥＯから外れる方向に押圧して、外部機器のプラグもコンセント部２０ＥＯから外れることになり、配線装置１は図１に示すような状態となる。
【０１０６】
このため、本実施形態の配線装置１によれば、キャップ部Ｃ２０を押圧操作するだけで、配線装置１を棚や押入れといった配線装置１を使用しないときに収納しているスペースに片付けることができる状態になる。
【０１０７】
次に、プラグ部３を外部コンセントに差し込むときに機能する構成等について説明する。
図２に示すように、本体部２は、側壁筒部Ｓ２０に形成され、側壁筒部Ｓ２０の取手基部２０Ａの反対側の位置に設けられたコード部４を本体部２内に引き込むための引込部Ｓ２０Ｃを備えている。
【０１０８】
この引込部Ｓ２０Ｃは、図１を見るとわかるように、プラグ部３の最大外径とほぼ同じ程度の内径を有したほぼ円形状の引込開口部になっており、その引込部Ｓ２０Ｃに形成された外側に突出するエッジ部Ｓ２０ＣＡに開閉レバー部３４が当接してコード部４側のプラグ部３の一部が収容可能とされたものになっている。
但し、側壁筒部Ｓ２０をフレーム構造等に代えてもよく、この場合、引込部Ｓ２０Ｃを押圧操作方向に対して横方向に開放したコ字状アーム構成にすることも可能であり、必ずしも、本実施形態のように引込部Ｓ２０Ｃが引込開口部のようになっている必要はない。
【０１０９】
このため、仮に、図１の状態のときに、出入口３０ＣＡからピストン部３２のロッド部３２Ｂ（図４参照）の一部が出た状態になっていたとしても、ユーザが取手部Ｔ２０を持って外部コンセントにプラグ部３を接続させる操作を行うと、エッジ部Ｓ２０ＣＡが開閉レバー部３４を回動させるように開閉レバー部３４を押圧する押圧部として機能し、先に説明したように、ピストン部３２がスムーズに収納される方向に移動できるようになる。
【０１１０】
このため、外部コンセントへのプラグ部３の接続作業時に外部コンセントの表面Ｗ（図４）によって、ピストン部３２のロッド部３２Ｂ（図４参照）が押されることにより、ロッド部３２Ｂがプラグ部３内に収納されるため、外部コンセントへのプラグ部３の接続作業に支障を来たすことがない。
【０１１１】
なお、本実施形態では、外側に突出するエッジ部Ｓ２０ＣＡを形成し、そのエッジ部Ｓ２０ＣＡが開閉レバー部３４を回動させるように開閉レバー部３４を押圧する押圧部として機能するようにしているが、このようなエッジ部Ｓ２０ＣＡを設けなくても、引込部Ｓ２０Ｃの周縁部自体で開閉レバー部３４を回動させるように押圧することが可能であり、引込部Ｓ２０Ｃの周縁部自体が押圧部として機能する構成であってもよい。
【０１１２】
一方、図２を見るとわかるように、本実施形態では、コード部４が円形ではなく、断面が短辺と長辺を有するほぼ矩形状（ただし、図３に示すように短辺側は丸みを帯びている。）である帯状のコード部４になっている。
【０１１３】
このため、引込部Ｓ２０Ｃから本体部２内に引き込まれるコード部４は、コード部４の断面における長尺側の面がリール部２３の巻き取り面２３Ａ（図８参照）に対してほぼ平行となる姿勢に保つようにして、良好にコード部４がリール部２３に巻き取られるようにすることが好ましい。
【０１１４】
したがって、本体部２は、引込部Ｓ２０Ｃから本体部２内に引き込まれるコード部４をコード部４の断面における長尺側の面がリール部２３の巻き取り面２３Ａに対してほぼ平行となる姿勢に保つ姿勢規制部を備えているのがよい。
【０１１５】
具体的には、図２、図７及び図８に示すように、本実施形態では、姿勢規制部として、引込部Ｓ２０Ｃにプラグ部３の一部が収容されるのを阻害しない程度、引込部Ｓ２０Ｃから奥側となる位置に、底部２０からリール部２３の巻き取り面２３Ａに対して平行となるように設けられた柱部材ＰＳが設けられている。
【０１１６】
この柱部材ＰＳは、引込部Ｓ２０Ｃの中心を基準とすると、コード部４がリール部２３に巻き取られるように引込部Ｓ２０Ｃから引き込まれるときに曲がる方向寄りの位置に設置されている。
【０１１７】
なお、本実施形態では、柱部材ＰＳが１つ設けられ、その１つの柱部材ＰＳが姿勢規制部として機能する場合について示しているが、例えば、もう１つの柱部材ＰＳを柱部材ＰＳの間の距離がコード部４の短辺側の幅よりも若干大きくなるように設置して、コード部４が、その柱部材ＰＳの間を通過するようにしても、同様に、コード部４の姿勢を制御できるので、姿勢規制部は離間する２つの柱部材ＰＳで構成されていてもよい。
【０１１８】
また、本実施形態では、図２に示すように、プラグ部３のコード部４側は外形が小さくなるように変化した部分を有しているが、そのような外形が変化する部分を設けず、開閉レバー部３４の近傍で、プラグ部３の後端が、先端壁部３０Ｃと同様な平面状の後端壁部とされていてもよく、この場合には、引込部Ｓ２０Ｃに形成されたエッジ部Ｓ２０ＣＡだけでもプラグ部３の一部が収容できるので、姿勢規制部となる柱部材ＰＳは、引込部Ｓ２０Ｃの後端ＴＮと同じぐらいの位置に位置するように、引込部Ｓ２０Ｃ側に近づけてもよい。
【０１１９】
さらに、プラグ部３の後端が、先端壁部３０Ｃと同様な平面状の後端壁部とされている場合、引込部Ｓ２０Ｃに形成されたエッジ部Ｓ２０ＣＡだけでもプラグ部３の一部が収容できるので、姿勢規制部は、柱部材ＰＳではなく、引込部Ｓ２０Ｃの後端ＴＮの開口状態を適切なものとしても実現できる。
【０１２０】
つまり、姿勢規制部は、引込部Ｓ２０Ｃの後端ＴＮの開口状態を、コード部４の短辺側の幅よりも若干大きい幅を有した、リール部２３の巻き取り面２３Ａに対して平行となるスリット状の開口状態としたものであってもよい。
【０１２１】
例えば、このようなスリット状の開口状態とするための具体的な一例としては、引込部Ｓ２０Ｃの開口径とほぼ同じ外径の円板プレートに、コード部４の短辺側の幅よりも若干大きい幅を有したスリット状の開口を形成して、そのスリット状の開口がリール部２３の巻き取り面２３Ａに対して平行となるように、その円板プレートを引込部Ｓ２０Ｃの後端ＴＮに取り付けることが考えられる。
【０１２２】
以上、実施形態に基づき説明したが、本発明は実施形態に限定されるものではない。
例えば、底部２０の外側にキャップ部Ｃ２０が嵌る程度の窪みを形成しておいてもよく、そうすれば、複数の配線装置１を積み重なるように収納しやすくできる。
【０１２３】
また、取手部Ｔ２０は、立下部２０ＡＣ及び立下蓋部Ｓ２０ＡＢの部分を省略して本体部２から横方向に突出するだけの取手部Ｔ２０としてもよい。
ただし、上記実施形態のように、取手部Ｔ２０が立下部２０ＡＣ及び立下蓋部Ｓ２０ＡＢを有している場合、側壁筒部Ｓ２０側に設けられている一対の刃受けばね２７Ａ（図１０参照）を備えるコンセント部２０ＥＯ（図１参照）に外部機器のプラグを差し込むときに姿勢が安定し、差し込み作業が行いやすい。
【０１２４】
さらに、一対の刃受けばね２７Ｂ（図１０参照）を備えるコンセント部２０ＥＯ（図１参照）を省略するようにしてもよい。
【０１２５】
一方、上記実施形態では、ポンプ部２２が固定されている場合について説明したが、図１２に示す変形例のようにして、ポンプ部２２がリール部２３とともに回転するような構成としてもよい。
【０１２６】
具体的に、図１２を参照しながら説明すると、変形例では、リール部２３に対してポンプ部２２を固定するようにし、リール部２３とともにポンプ部２２が回転できるようにしている。
【０１２７】
そして、キャップ部Ｃ２０とポンプ部２２の間に第１軸受Ｒ１（第１スラスト軸受）を設け、キャップ部Ｃ２０に対してポンプ部２２が回転できるようにしているとともに、底部２０とリール部２３の間に第２軸受Ｒ２（第２スラスト軸受）を設け、底部２０に対してリール部２３が回転できるようにしており、ポンプ部２２がリール部２３と一体に回転するようになっている。
【０１２８】
具体的には、底部２０に第２軸受Ｒ２（第２スラスト軸受）を配置する段上りした軸受配置部ＡＲを設け、その軸受配置部ＡＲの中央には、リール部２３内に配置されるフランジ部ＰＦを有するパイプ部Ｐを固定する固定部ＦＸを設けるようにしており、第２軸受Ｒ２（第２スラスト軸受）の中央の貫通孔を通じて軸受配置部ＡＲ側に導出されたパイプ部Ｐが固定部ＦＸに固定されている。
また、軸受配置部ＡＲには、軸受配置部ＡＲの外側面と固定部ＦＸに固定されたパイプ部Ｐの孔に繋がるトンネル部Ｈが設けられている。
【０１２９】
そして、トンネル部Ｈ及びパイプ部Ｐを通じてリール部２３内に引き込まれた一対の電気配線ＥＷが、フランジ部ＰＦからポンプ部２２側に向かって延在するように設けられた一対の電極部に接続されている。
なお、この電気配線ＥＷはコンセント部２０ＥＯ側の電気配線ＥＷである。
【０１３０】
一方、リール部２３は、リール部２３の内側に設けられたフランジ部ＲＦを有しており、そのフランジ部ＲＦのフランジ部ＰＦ側の面には、大きさの異なる２つの円環状の電極部が設けられている。
【０１３１】
そして、円環状の電極部のそれぞれは、フランジ部ＲＦに形成された貫通孔を通じてフランジ部ＲＦのポンプ部２２側を向く面に導出される導出電極を有しており、リール部２３の巻き取り面２３Ａの引込開口ＯＰ１からリール部２３内に引き込まれたコード部４の一対の電線部４０のそれぞれがその導出電極に電気的に接続されている。
【０１３２】
また、リール部２３とともに回転することになる２つの円環状の電極部に対して、フランジ部ＰＦに設けられた一対の電極部が摺動可能に接触している。
このため、上記実施形態と同様にコード部４の一対の電線部４０がリール部２３の回転を阻害することがないようになっている。
【０１３３】
さらに、コード部４のホース部４１は、ポンプ部２２内に引き込まれているが、本変形例では、ポンプ部２２がリール部２３とともに回転するため、上記実施形態のように、ホース部４１のポンプ部２２への接続に回転継手部２４（いわゆる、ロータリーエアジョイント）を用いなくてもホース部４１がリール部２３の回転を阻害することもなく、高価な回転継手部２４を使用しないため、コストダウンを図ることができる。
【０１３４】
そして、リール部２３をコード部４を巻き取る方向に付勢する弾性体としての発条ＺＮをフランジ部ＰＦと第２軸受Ｒ２（第２スラスト軸受）の間に配置し、発条ＺＮの一端をパイプ部Ｐに係合させるとともに、発条ＺＮの他端をリール部２３に係合させることで、上記実施形態と同様に、常に、リール部２３がコード部４を巻き取る方向に付勢されている状態となる。
【０１３５】
このように、本発明は実施形態に限定されるものではなく、その要旨を逸脱しない範囲で様々な変更を加えたものも本発明の技術的範囲に含まれるものであり、そのことは当業者にとって特許請求の範囲の記載から明らかである。
【符号の説明】
【０１３６】
１…配線装置、２…本体部、２０…底部、２０Ａ…取手基部、２０ＡＡ…立上部、２０ＡＢ…把持部、２０ＡＣ…立下部、２０ＡＣＡ…設置部、２０Ｂ…係合ピン、２０ＥＯ…コンセント部、２１…受部、２１Ａ…脚部、２１Ｂ…円形開口部、２１Ｃ…貫通孔、２２…ポンプ部、２２Ａ…蛇腹構造、２２Ｂ…天面部、２３…リール部、２３Ａ…巻き取り面、２３Ｂ…フランジ部、２３ＢＡ…スロープ部、２３ＢＢ…段部、２３Ｃ…縁部、２３ＣＡ…電極固定部、２４…回転継手部、２５…回転停止部、２６…第２電極部、２７Ａ,２７Ｂ…刃受けばね、２８…電気回路部、２８Ａ…無線モジュール、２９…レバー部、Ｓ２０側壁筒部、Ｓ２０Ａ…取手蓋部、Ｓ２０ＡＡ…把持蓋部、Ａ２０ＡＡＡ…差込口、Ｓ２０ＡＡＢ…押圧片出入口、Ｓ２０ＡＢ…立下蓋部、Ｓ２０ＢＡ…一方の開口部、Ｓ２０ＢＢ…他方の開口部、Ｓ２０Ｃ…引込部、Ｓ２０ＣＡ…エッジ部、Ｃ２０…キャップ部、Ｃ２０Ａ…開放端、Ｃ２０Ｂ…切欠部、ＧＲ…窪み部、Ｔ２０…取手部、３…プラグ部、３０…プラグカバー、３０Ａ…第１カバー半体、３０Ｂ…第２カバー半体、３０ＢＡ…開口部、３０ＢＢ…当接部、３０Ｃ…先端壁部、３０ＣＡ…出入口、３０ＣＢ…導出開口部、３０Ｄ…引出開口部、３１…シリンダ部、３１Ａ…底板部、３１ＡＡ…気体取込孔、３１ＡＢ…第１逃し孔、３１Ｂ…円筒側壁部、３１ＢＡ…第２逃し孔、３２…ピストン部、３２Ａ…ヘッド部、３２Ｂ…ロッド部、３３…栓刃部、３３Ａ…固定部、３３Ｂ…直線部、３３Ｃ…曲り部、３３Ｄ…突出部、３４…開閉レバー部、３５…弾性部、Ｊ…ジョイント、Ｓ…空間、４…コード部、４０…電線部、４０Ａ…導電線、４０Ｂ…外皮、４１…ホース部、４２…被覆部、Ｗ…表面、ＴＮ…後端、ＰＳ…柱部材、ＺＮ…発条、ＡＲ…軸受配置部、ＥＷ…電気配線、ＦＸ…固定部、Ｈ…トンネル部、ＯＰ１…引込開口、Ｐ…パイプ部、ＰＦ,ＲＦ…フランジ部、Ｒ１…第１軸受、Ｒ２…第２軸受
【図１】
2019021467.tif 000003
【図２】
2019021467.tif 000004
【図３】
2019021467.tif 000005
【図４】
2019021467.tif 000006
【図５】
2019021467.tif 000007
【図６】
2019021467.tif 000008
【図７】
2019021467.tif 000009
【図８】
2019021467.tif 000010
【図９】
2019021467.tif 000011
【図１０】
2019021467.tif 000012
【図１１】
2019021467.tif 000013
【図１２】
2019021467.tif 000014